(57)【要約】【課題】  質量の増加、コスト増加を抑えてオーバーアジャストを防止する。【解決手段】  シューウェブ３１には、くびれ部４０が形成されている。くびれ部４０は、シューウェブ３１がホイールシリンダ５０と当接する先端部３７と、シューウェブ３１がストラット７１と係合する係合部３６との上下方向における中間位置に設けられる。くびれ部４０よりも先端側となる先端側ウェブ４１は、ホイールシリンダ５０の液圧によりピストン５１に押されたとき、その押圧力によりシューウェブ３１の金属材が弾性変形して、中心Ｏを中心として揺動する。これにより、ストラット７１の伸長動作が制限されてオーバーアジャストが防止される。【選択図】  図１
2015132284.tif 000002
【特許請求の範囲】
【請求項１】
車輪と一体的に回転するドラムと、
車体側部材に対して回転不能に固定されたバックプレートに組み付けられ、リムと、前記リムの外径側に設けられるライニングと、前記リムの内径側に設けられるウェブとを有する一対のブレーキシューと、
前記ウェブの先端部を押圧して、前記一対のブレーキシューを非制動時における中立位置から拡開させて前記ライニングを前記ドラムの内周面に押し付けるアクチュエータと、
前記一対のブレーキシューのウェブ間に設けられ前記一対のブレーキシュー間の最小間隔を規制するストラットを有し、前記一対のブレーキシューの制動時における拡開量が大きくなるにしたがって前記ストラットを伸長させて、前記非制動時における中立位置での前記一対のブレーキシュー間の最小間隔を大きくするように調整する自動アジャスタと
を備えたドラムブレーキ装置において、
前記ブレーキシューのウェブは、くびれ部が形成されており、前記くびれ部を境にして前記アクチュエータ側となる先端側ウェブと、前記アクチュエータとは反対側となる基端側ウェブとに区分されて、前記アクチュエータによって前記先端側ウェブが押圧されたとき、前記ウェブの金属材の弾性変形によって前記先端側ウェブが前記基端側ウェブに対して前記くびれ部を中心として揺動するように構成され、
前記ストラットの端部は、前記先端側ウェブにおける部位であって、前記先端側ウェブが前記アクチュエータに押圧されて前記基端側ウェブに対して揺動したときに、前記ブレーキシューの拡開方向とは反対方向に移動する部位に係合されている、
ドラムブレーキ装置。
【発明の詳細な説明】
【技術分野】
【０００１】
本発明は、車両に搭載されるドラムブレーキ装置に関する。
【背景技術】
【０００２】
従来から、ドラムブレーキ装置には、非制動時におけるドラムとブレーキシューとの隙間（シュークリアランスと呼ぶ）がブレーキシューの摩耗によって増大しないようにブレーキシューの位置を自動調整する自動アジャスタが設けられている。この自動アジャスタについては、例えば、特許文献１に提案されている。一般に、自動アジャスタは、一対のブレーキシューの最小間隔を規制するストラットを備えており、常用ブレーキ操作時にブレーキシューが大きく拡開した場合、つまり、シュークリアランスが大きくなった場合に、アジャスタボルトを回転させてストラットを伸長させる。これにより、一対のブレーキシューの最小間隔が拡げられてシュークリアランスが自動調整される。
【０００３】
自動アジャスタは、ブレーキシューの摩耗によりブレーキシューの可動域が増大した場合に作動することを想定して設けられているが、ブレーキ力によりドラムブレーキ装置自身が一時的に変形した場合、その一時的な変形に対して作動してしまうことがある。ドラムブレーキ装置の一時的な変形は、ブレーキペダル操作によってホイールシリンダに供給される液圧が高いほど大きくなる。この変形は、主に、ブレーキシューのライニングとドラムとに生じる。例えば、ブレーキシューのライニングは、シューリムとドラムとによる挟圧で厚さが薄くなるように変形する。また、ドラムは、ブレーキシューによって拡開方向に押圧されてドラム径が増加するように変形する。この変形が大きいと、自動アジャスタがブレーキシューの摩耗時と同様に作動して、ブレーキシューの間隔を過剰に拡げてしまう。その場合には、非制動時に確保すべきシュークリアランスが適正値未満となる現象、いわゆる、オーバーアジャストが発生する。オーバーアジャストが発生した場合には、ブレーキペダル操作を行っていないにも関わらず、ドラムとライニングとの摩擦が発生し、ライニングの早期摩耗、車両の燃費の悪化を招くことになる。そこで、従来から、ドラムブレーキ装置自身の一時的な変形を見込んで自動アジャスタの調整量が設定されるが、変形を見込んだ分だけシュークリアランスが大きくなるため、ブレーキ操作フィーリングが良好とはならない。また、特許文献２，３においては、ドラムブレーキ装置自身の一時的な変形によるオーバーアジャストを防止する技術が提案されている。
【先行技術文献】
【特許文献】
【０００４】
【特許文献１】特公昭６３−３３５６７号公報
【特許文献２】特開２００４−３５３７５１号公報
【特許文献３】特開２００９−８１５１号公報
【発明の概要】
【０００５】
しかしながら、特許文献２，３に提案された技術は、何れも、オーバーアジャスト低減用の追加部品を必要とする。このため、ドラムブレーキ装置の質量の増加、コスト増加等を招くおそれがある。
【０００６】
本発明の目的は、上記問題に対処するためになされたもので、質量の増加及び/又はコスト増加を抑えながら、オーバーアジャストが発生する可能性を低減し得るドラムブレーキ装置を提供することにある。
【０００７】
上記目的を達成するために、本発明のドラムブレーキ装置の特徴は、
車輪と一体的に回転するドラム（１０）と、
車体側部材に対して回転不能に固定されたバックプレート（２０）に組み付けられ、リム（３２）と、前記リムの外径側に設けられるライニング（３３）と、前記リムの内径側に設けられるウェブ（３１）とを有する一対のブレーキシュー（３０）と、
前記ウェブの先端部を押圧して、前記一対のブレーキシューを非制動時における中立位置から拡開させて前記ライニングを前記ドラムの内周面に押し付けるアクチュエータ（５０）と、
前記一対のブレーキシューのウェブ間に設けられ前記一対のブレーキシュー間の最小間隔を規制するストラット（７１）を有し、前記一対のブレーキシューの制動時における拡開量が大きくなるにしたがって前記ストラットを伸長させて、前記非制動時における中立位置での前記一対のブレーキシュー間の最小間隔を大きくするように調整する自動アジャスタ（７０）とを備えたドラムブレーキ装置において、
前記ブレーキシューのウェブは、くびれ部（４０）が形成されており、前記くびれ部を境にして前記アクチュエータ側となる先端側ウェブ（４１）と、前記アクチュエータとは反対側となる基端側ウェブ（４２）とに区分されて、前記アクチュエータによって前記先端側ウェブが押圧されたとき、前記ウェブの金属材の弾性変形によって前記先端側ウェブが前記基端側ウェブに対して前記くびれ部を中心として揺動するように構成され、
前記ストラットの端部は、前記先端側ウェブにおける部位であって、前記先端側ウェブが前記アクチュエータに押圧されて前記基端側ウェブに対して揺動したときに、前記ブレーキシューの拡開方向とは反対方向に移動する部位（３６）に係合されていることにある。
【０００８】
本発明のドラムブレーキ装置は、ブレーキ操作時にアクチュエータが作動して、一対のブレーキシューを中立位置から拡開させてライニングをドラムの内周面に押し付けて制動力を発生させる。ドラムブレーキ装置は、自動アジャスタを備えている。自動アジャスタは、一対のブレーキシューのウェブ間に設けられ一対のブレーキシュー間の最小間隔（ウェブ間の最小間隔と表現することもできる）を規制するストラットを有し、一対のブレーキシューの制動時における拡開量が大きくなるにしたがってストラットを伸長させて、中立位置での一対のブレーキシュー間の最小間隔を大きくするように調整する。これにより、ブレーキシューのライニングの摩耗に応じてシュークリアランスを自動調整することができる。
【０００９】
ブレーキ力によりドラムブレーキ装置自身が一時的に変形した場合、その一時的な変形に対して自動アジャスタが一対のブレーキシュー間の最小間隔を調整してしまうとシュークリアランスが適正値未満となる現象、いわゆる、オーバーアジャストが発生する。そこで、本発明においては、ブレーキシューのウェブにくびれ部が形成されている。ウェブは、くびれ部を境にしてアクチュエータ側（アクチュエータに直接押圧される側）となる先端側ウェブと、アクチュエータとは反対側となる基端側ウェブとに区分される。先端側ウェブは、アクチュエータによって押圧されたとき、ウェブの金属材の弾性変形によって基端側ウェブに対して、くびれ部を中心として揺動する。自動アジャスタに設けられるストラットの端部は、先端側ウェブにおける部位であって、先端側ウェブがアクチュエータに押圧されて基端側ウェブに対して揺動したときに、ブレーキシューの拡開方向とは反対方向に移動する部位に係合される。
【００１０】
このくびれ部が形成されていることにより、アクチュエータがウェブを押圧する力が大きいほど先端側ウェブが大きく揺動し、これにあわせて、ストラットの端部の位置が、基端側ウェブに対して相対的にブレーキシューの拡開方向とは反対方向に移動する。一方、ドラムブレーキ装置自身の一時的な変形量は、アクチュエータの押圧力が大きくなるほど大きくなる。このため、ドラムブレーキ装置自身の一時的な変形に応じた量でストラットの伸長動作を制限してオーバーアジャストが発生する可能性を低減することができる。つまり、ドラムブレーキ装置自身の一時的な変形に起因するストラットの伸長動作が発生しないようにウェブが変形するから、オーバーアジャストを回避することができる。
【００１１】
従って、本発明によれば、質量の増加及び/又はコスト増加を抑えながら、オーバーアジャストが発生する可能性を低減することができる。
【００１２】
尚、上記説明においては、発明の理解を助けるために、実施形態に対応する発明の構成に対して、実施形態で用いた符号を括弧書きで添えているが、発明の各構成要件は前記符号によって規定される実施形態に限定されるものではない。
【図面の簡単な説明】
【００１３】
【図１】実施形態に係るドラムブレーキ装置の概略構成図である。
【図２】実施形態に係る先端側ウェブの拡大図である。
【図３】変形例に係る先端側ウェブの拡大図である。
【図４】変形例に係るウェブ変形特性を表すグラフである。
【図５】従来例（比較例）に係るドラムブレーキ装置の概略構成図である。
【発明を実施するための形態】
【００１４】
以下、本発明の一実施形態に係る車両用のドラムブレーキ装置について説明する。図１は、本実施形態に係るドラムブレーキ装置を概略的に示している。このドラムブレーキ装置は、ドラム１０と、バックプレート２０と、２個一対のブレーキシュー３０ａ，３０ｂと、ホイールシリンダ５０と、アンカ６０と、自動アジャスタ７０とを備えている。本実施形態のドラムブレーキ装置の特徴は、各ブレーキシュー３０ａ，３０ｂに設けられるシューウェブ３１の形状（特に、後述するくびれ部４０）にあり、シューウェブ３１以外の構成については、従来の一般的なドラムブレーキ装置と基本的に同様である。従って、本実施形態の説明にあたっては、特徴的な構成以外については簡単な説明に留める。また、シューウェブ３１については、図面においてグレーにて着色して示し、くびれ部４０の近傍の手前側に設けられている部材については、くびれ部４０の形状がわからなくならないように、図示を省略する、あるいは、破線にて示す。
【００１５】
ドラム１０は、車輪とともに回転する円筒体であって、その内周面に摩擦面が形成されている。バックプレート２０は、略円板形状をなし車体側部材に回転不能に固定される。一対のブレーキシュー３０ａ，３０ｂは、円弧形状を有する部材で、互いに接近離間可能に略左右対象となるようにドラム１０内に収容される。以下、２つのブレーキシュー３０ａ，３０ｂについては、その何れか一方を特定する必要がないため、両者を単にブレーキシュー３０と呼ぶ。各ブレーキシュー３０は、バックプレート２０の板面（一面側）と略平行に配置されるシューウェブ３１と、シューウェブ３１の外周側端面に固着されるシューリム３２と、シューリム３２の外周面に固着されてブレーキ操作時にドラム１０の内周面に摩擦係合するライニング３３とを一体的に備えて構成されている。各ブレーキシュー３０は、各シューウェブ３１に貫通形成された取付穴に装着されるシューホールドダウン２１により、ドラム１０の内周面に向かって移動可能にバックプレート２０に取り付けられている。
【００１６】
各シューウェブ３１の上端部（先端部）は、バックプレート２０に固定されたアクチュエータとしてのホイールシリンダ５０の両端部に当接している。ホイールシリンダ５０は、ブレーキ液の圧力によって作動するピストン５１を両端部に備え、そのピストン５１で左右のシューウェブ３１の一端部を左右に押圧することにより、左右のシューウェブ３１を離間（拡開）させる。一対のブレーキシュー３０の間には、比較的上方位置に図示しないリターンスプリングが架け渡されている。このリターンスプリングは、その両端が左右のシューウェブ３１の外周側端に係合されて左右方向に配設され、ブレーキシュー３０を常に互いに接近する方向に付勢する。従って、シューウェブ３１の上端部は、リターンスプリングの付勢により常にピストン５１に押し付けられる。
【００１７】
各シューウェブ３１の下端部は、バックプレート２０に固定されたアンカ６０にそれぞれ当接するように配置される。各シューウェブ３１の下端部には、リターンスプリング６１が架け渡され、このリターンスプリング６１により各シューウェブ３１の下端部がアンカ６０に引きつけられてアンカ６０に支持される。
【００１８】
ドラムブレーキ装置には、一対のブレーキシュー３０の間の最小間隔を自動調整する自動アジャスタ７０が設けられる。自動アジャスタ７０は、ストラット７１を備えている。ストラット７１は、一対のシューウェブ３１の間に架け渡されるように設けられており、両端にシューウェブ３１の内周側端が当接するシュー溝７２が形成されている。このシュー溝７２にシューウェブ３１の内周側端が係合して押し当てられることにより、一対のブレーキシュー３０の間の最小間隔が規制される。シューウェブ３１におけるストラット７１と係合する部分を係合部３６と呼ぶ。ストラット７１は、図示しないアジャスタボルトが内蔵されており、このアジャスタボルトを回転させてストラット７１の長さを伸長させるためのラチェット式の調整歯７３が設けられている。自動アジャスタ７０は、レバー７４を備えている（図１においては、破線にて示している）。レバー７４は、制動時における一対のブレーキシュー３０の拡開量に応じてストラット７１を伸長させるための部材であって、その一端側がシューウェブ３１にピン７５により回動可能に連結され、他端側が調整歯７３に歯合するようになっている。レバー７４は、シューウェブ３１との間に張設されたリターンスプリング７６の付勢力により、ストラット７１を伸長させる方向となるように調整歯７３を回転させる。
【００１９】
次に、上記のように構成した本実施形態に係るドラムブレーキ装置の作動を説明する。車両走行中において、ドライバによってブレーキペダルの踏み込み操作が行われると、ホイールシリンダ５０にブレーキ液圧が供給される。これにより、一対のブレーキシュー３０は、ホイールシリンダ５０に設けられたピストン５１に押されて、互いに離間する方向に移動（拡開）し、ライニング３３をドラム１０の摩擦摺動面（内周面）に対して圧着させる。こうして、車輪と一体的に回転するドラム１０とライニング３３との間に摩擦力が発生する。この摩擦力は、車輪の回転を制動する制動力として働く。
【００２０】
この場合、ライニング３３の摩耗により一対のブレーキシュー３０が大きく拡開したときには、その拡開による力がリターンスプリング７６を介してレバー７４に伝達される。これにより、レバー７４がピン７５を中心として下側に回動し、ストラット７１の調整歯７３を回転させ、ストラット７１を伸長させる。ブレーキ操作が解除されると、ホイールシリンダ５０内のブレーキ液圧が低下して一対のブレーキシュー３０が元の位置に戻されるとともに、レバー７４が元の位置に戻り、シュークリアランスの調整が完了する。一方、ライニング３３が摩耗していなく、一対のブレーキシュー３０の拡開が大きくない場合には、レバー７４がピン７５を中心に下側に回動するものの、回動量が僅かであるため調整歯７３を回転させることはない。このため、ストラット７１は伸長しない。
【００２１】
このように、自動アジャスタ７０は、ライニング３３の摩耗の増加によって一対のブレーキシュー３０の拡開量が増加するにしたがってストラット７１を伸長させて、非制動時におけるシュークリアランスを一定に維持する。
【００２２】
ところで、ブレーキペダル操作によってホイールシリンダ５０にブレーキ液圧が供給されている場合には、その液圧に応じた量だけドラムブレーキ装置自身が一時的に変形する。例えば、ブレーキシュー３０のライニング３３が、シューリム３２とドラム１０とによって挟圧されて変形する。また、ドラム１０がブレーキシュー３０によって拡開方向に押圧されるため拡径変形する。こうした変形は、ブレーキ操作が解除されると元に戻るため、それ自体については問題がない。しかし、ドラムブレーキ装置が一時的に変形した場合には、その変形量に応じた分だけ余分にブレーキシュー３０が拡開することから、ブレーキシュー３０の摩耗時と同様に、自動アジャスタ７０がその変形分を摩耗分とみなして作動する。このため、ストラット７１が必要以上に伸長されてしまい、シュークリアランスが適正値よりも小さくなってしまう。これにより、ブレーキペダル操作を行っていないにも関わらず、ドラム１０とライニング３３との摩擦が発生し、ライニング３３の早期摩耗、車両の燃費の悪化を招くことになる。
【００２３】
そこで、本実施形態においては、そうした課題を解決するために、各シューウェブ３１の形状が工夫されている。以下、その構成について具体的に説明する。一対のシューウェブ３１は、左右対称に設けられるため、以下に説明する構成要素は、一対のシューウェブ３１のそれぞれに設けられるものである。シューウェブ３１には、ホイールシリンダ５０との当接部の近傍位置となる外周側に、Ｖ字状に鋭角に切り欠いた第１切欠３４が形成されている。また、シューウェブ３１には、ストラット７１の端部（シュー溝７２）と係合する係合部３６の近傍位置であって、係合部３６よりもホイールシリンダ５０から離れた側の内周側に、Ｖ字状に鋭角に切り欠いた第２切欠３５が形成されている。第１切欠３４は、上方向に拡開するＶ字状をなし、第２切欠３５は、下方向に拡開するＶ字状をなす。第１切欠３４および第２切欠３５は、その先端（Ｖ字の谷側）が互いに接近して形成されている。このため、シューウェブ３１には、第１切欠３４と第２切欠３５とによって幅方向の寸法が小さくなったくびれ部４０が形成されている。
【００２４】
くびれ部４０は、シューウェブ３１がホイールシリンダ５０のピストン５１と当接する先端部３７と、シューウェブ３１がストラット７１と係合する係合部３６との上下方向における中間位置に設けられる。ここで、シューウェブ３１について、くびれ部４０よりも先端側となる部位を先端側ウェブ４１と呼び、くびれ部４０よりも後端側（アンカ６０側）を基端側ウェブ４２と呼ぶ。従って、シューウェブ３１は、くびれ部４０を境にして、先端側ウェブ４１と基端側ウェブ４２とに区分される。尚、図５は、比較例として、くびれ部４０が形成されていないシューウェブ３１’を備えた従来タイプのドラムブレーキ装置の概略構成を表している。
【００２５】
先端側ウェブ４１は、図２に示すように、ホイールシリンダ５０の液圧によりピストン５１に押されたとき、その押圧力によりシューウェブ３１の金属材が弾性変形して、基端側ウェブ４２に対してくびれ部４０の中心Ｏを中心として矢印ｒの方向に揺動する。この先端側ウェブ４１の揺動角度は、ホイールシリンダ５０の液圧が大きくなるほど大きくなる。一方、ホイールシリンダ５０の液圧によりピストン５１が作動してブレーキシュー３０が拡開したときには、液圧が大きいほど、ブレーキシュー３０がドラム１０に強く押し付けられるため、ドラムブレーキ装置自身の一時的な変形が大きくなる。以下、ドラムブレーキ装置自身の一時的な変形をドラムブレーキ装置の撓みと呼ぶ。
【００２６】
先端側ウェブ４１がくびれ部４０の中心Ｏを中心として揺動した場合には、シューウェブ３１におけるストラット７１と係合する係合部３６は、基端側ウェブ４２に対して相対的にブレーキシュー３０の拡開方向と反対方向（図２の矢印ｓ方向）に移動する。このため、ブレーキ操作によって左右のブレーキシュー３０が拡開した場合、シューウェブ３１の係合部３６の拡開方向の移動量は、先端側ウェブ４１の弾性変形による揺動分だけ少なくなる。このため、ストラット７１のシュー溝７２内には、ストラット７１の伸長できるスペースが少なくなり、その分だけストラット７１の伸長動作が制限される。
【００２７】
ここで、制動時におけるドラムブレーキ装置の撓みによってくびれ部４０の中心Ｏが拡開方向に移動する量（左右方向の距離）を撓み量Ｘと定義する。また、制動時におけるドラムブレーキ装置の撓みによってシューウェブ３１の係合部３６が拡開方向と反対方向に移動する量（左右方向の距離）を変形量Ｂと定義する。本実施形態のドラムブレーキ装置においては、撓み量Ｘと変形量Ｂとが等しくなるように設計されている（Ｘ＝Ｂ）。これにより、ドラムブレーキ装置の撓みによるオーバーアジャストを防止することができる。この変形量Ｂを得るためのホイールシリンダ５０のピストン５１の移動量Ａの増加分δＡは、次式にて表すことができる。
δＡ＝Ｂ×（Ｌ１／Ｌ２）
尚、Ｌ１は、くびれ部４０の中心Ｏとホイールシリンダ５０のピストン５１の中心軸との間の上下方向の距離を表し、Ｌ２は、くびれ部４０の中心Ｏとストラット７１の中心軸との間の上下方向の距離を表す。
【００２８】
δＡは、大きくなるほど、シュークリアランスが大きくなるのと同様にブレーキ操作フィーリングの低下を招く。そこで、（Ｌ１／Ｌ２）の値をできるだけ小さくするように設計することが望ましい。
【００２９】
以上説明したドラムブレーキ装置によれば、シューウェブ３１の先端にくびれ部４０を形成し、くびれ部４０よりも先端側となる先端側ウェブ４１を弾性変形により揺動させるため、シューウェブ３１の係合部３６を拡開方向と反対方向に戻すことができる。これにより、ドラムブレーキ装置の撓みによるオーバーアジャスト、つまり、ストラット７１が過剰に伸長されることを抑制することができる。また、撓み量Ｘと変形量Ｂとを等しくしているため、ブレーキシュー３０のライニング３３の摩耗に対しては、摩耗分に相当する量だけストラット７１を伸長させることができる。この結果、シュークリアランスを適正値に維持することができる。しかも、切欠３４，３５によってくびれ部４０を形成するという簡単な構成により実施できるため、オーバーアジャスト低減用の部品を追加する必要が無く、質量の増加、コスト増加（部品点数増加、生産性低下）を招かない。
【００３０】
＜変形例＞
次に、変形例について説明する。上述した先端側ウェブ４１の揺動は、シューウェブ３１の金属材の弾性変形域のみで行われるようにして、シューウェブ３１が塑性変形しないようにする必要がある。そこで、この変形例では、ブレーキペダルから通常使用領域を超える過大な入力が働いた場合（例えば、緊急ブレーキ時）に、シューウェブ３１の剛性を高めてシューウェブ３１が塑性変形することを防止する。そのために、この変形例においては、図３に示すように、第１切欠３４の一方の辺３４ａに突起４５を備えている。この突起４５は、シューウェブ３１の加工時にシューウェブ３１の一部として一体形成される。突起４５は、先端側ウェブ４１の揺動が所定角度に達したときに、第１切欠３４の辺３４ａに向かい合う他方の辺３４ｂに当接して、シューウェブ３１のそれ以上の変形（先端側ウェブ４１のそれ以上の揺動）を抑えるストッパとして機能する。
【００３１】
図４は、制動力に対するシューウェブ３１の変形量を表す。制動力は、ホイールシリンダ５０の液圧に対応する。制動力が常用域に入る場合には、変形量Ｂと撓み量Ｘとは同じ値となる。この常用域においては、シューウェブ３１の弾性変形のみを使って先端側ウェブ４１を揺動させることができる。これにより、オーバーアジャストを防止することができる。また、制動力が常用域を超えると、突起４５が辺３４ｂに当接する。これにより、シューウェブ３１の剛性が高くなり、シューウェブ３１の塑性変形を防止するとともに、シューウェブ３１の塑性変形が生じない範囲で、制動力が増加するにつれて変形量Ｂを増加させることができる。従って、オーバーアジャストを低減することができる。
【００３２】
以上、本実施形態および変形例のドラムブレーキ装置について説明したが、本発明は上記実施形態および変形例に限定されるものではなく、本発明の目的を逸脱しない限りにおいて種々の変更が可能である。
【００３３】
例えば、本実施形態においては、左右のシューウェブ３１のそれぞれにくびれ部４０を形成しているが、何れか一方のシューウェブ３１にのみくびれ部４０を形成した構成であってもよい。また、本実施形態においては、制動力の常用域において、撓み量Ｘと変形量Ｂとが等しくなるように設計されているが、必ずしも撓み量Ｘと変形量Ｂとを一致させる必要はなく、先端側ウェブ４１の揺動によってシューウェブ３１の係合部３６を拡開方向と反対方向に戻すことができるものであればよい。
【符号の説明】
【００３４】
１０…ドラム、２０…バックプレート、３０…ブレーキシュー、３０ａ，３０ｂ…ブレーキシュー、３１…シューウェブ、３２…シューリム、３３…ライニング、３４，３５…切欠、３６…係合部、３７…先端部、４０…くびれ部、４１…先端側ウェブ、４２…基端側ウェブ、４５…突起、５０…ホイールシリンダ、５１…ピストン、６０…アンカ、７０…自動アジャスタ、７０…ホイールシリンダ、７０…自動アジャスタ、７１…ストラット、７２…シュー溝、７３…調整歯、７４…レバー。
【図１】
2015132284.tif 000003
【図２】
2015132284.tif 000004
【図３】
2015132284.tif 000005
【図４】
2015132284.tif 000006
【図５】
2015132284.tif 000007